(57)【要約】【課題】きわめて簡易な構成で毛髪が被散髪者の衣服に付着するのを防止するとともに、その毛髪が床に散るのを防止する。【解決手段】上端部に向けて縮径された２枚のシート体の各側端部の一部又は全部を互いに連続させることにより、その上端に被散髪者の頭部を出すための上部開口１９を形成し、当該上部開口１９を構成する２枚のシート体の各内面の一部を互いに着脱自在にするための着脱部１２が設けられ、シート体１１の下端から外側に折り返された折り返し部１５を更に形成してなる。【選択図】図１
0003156550.tif 000002
【実用新案登録請求の範囲】
【請求項１】
上端部に向けて縮径された２枚のシート体の各側端部の一部又は全部を互いに連続させることにより、その上端に被散髪者の頭部を出すための上部開口を形成し、当該上部開口を構成する２枚のシート体の各内面の一部を互いに着脱自在にするための着脱手段が設けられ、
上記シート体の下端から外側に折り返された折り返し部を更に形成してなること
を特徴とする散髪用カバー。
【請求項２】
上記各シート体の各側端部の一部又は全部は互いに貼着されてなること
を特徴とする請求項１記載の散髪用カバー。
【請求項３】
当該散髪用カバーを被散髪者が被ったときに、上記着脱手段が被散髪者の顔の前方に位置するように各形状が調整されていること
を特徴とする請求項１又は２記載の散髪用カバー。
【考案の詳細な説明】
【技術分野】
【０００１】
本考案は、散髪時に刈った毛髪が被散髪者の衣服に付着するのを防止するとともに、その毛髪が床に散るのを防止するために被散髪者に被らせる散髪用カバーに関する。
【背景技術】
【０００２】
従来より、散髪時に刈った毛髪が被散髪者の衣服に付着するのを防止するために、被散髪者に散髪用カバーを被らせるのが一般的である。この散髪用カバーは、扇状のカバー本体を被散髪者に被らせるときには、その上部に形成された上部開口から被散髪者の頭部を出して装着させる。特に近年においては、刈った毛髪が床に散らばるのを防止する観点から、例えば特許文献１に示すようにカバー本体の下端に略垂直に立ち上げられた環状壁を形成したものも提案されている。
【先行技術文献】
【特許文献】
【０００３】
【特許文献１】実用新案登録第３１４６１３２号公報
【考案の概要】
【考案が解決しようとする課題】
【０００４】
しかしながら、上述した特許文献１の開示技術によれば、刈った毛髪を収容するための環状壁を設けるために、環状帯部の如き大掛かりな構成とした上で、これをカバーの下端に縫合する手間と労力が必要となる。
【０００５】
そこで本考案は、上述した問題点に鑑みて案出されたものであり、その目的とするところは、きわめて簡易な構成で毛髪が被散髪者の衣服に付着するのを防止するとともに、その毛髪が床に散るのを防止することが可能な散髪用カバーを提供することにある。
【課題を解決するための手段】
【０００６】
本願請求項１記載の散髪用カバーは、上述した課題を解決するために、上端部に向けて縮径された２枚のシート体の各側端部の一部又は全部のみを貼着させることにより、その上端に被散髪者の頭部を出すための上部開口を形成し、当該上部開口を構成する２枚のシート体の各内面の一部を互いに着脱自在にするための着脱手段が設けられ、上記シート体の下端から外側に折り返された折り返し部を更に形成してなることを特徴とする。
【０００７】
本願請求項２記載の散髪用カバーは、請求項１記載の散髪用カバーにおいて、上記着脱手段が、被散髪者の顔の前方となるように各形状が調整されていることを特徴とする。
【考案の効果】
【０００８】
上述した構成からなる本考案に係る散髪用カバーによれば、きわめて簡易な構成で毛髪が被散髪者の衣服に付着するのを防止するとともに、その毛髪が床に散るのを防止することが可能となる。
【図面の簡単な説明】
【０００９】
【図１】本考案を適用した散髪用カバーの全体構成を示す斜視図である。
【図２】被散髪者に本考案に係る散髪用カバーを被せた状態を示す図である。
【図３】被散髪者に本考案に係る散髪用カバーを被せた状態を示す他の図である。
【考案を実施するための形態】
【００１０】
以下、本考案を適用した散髪用カバーについて、図面を参照しながら詳細に説明をする。
【００１１】
図１は、本考案を適用した散髪用カバー１の全体構成を示す斜視図である。この散髪用カバー１は、上端部に向けて縮径された２枚のシート体１１を貼り合わせることにより構成されている。シート体１１は、各種繊維、又は樹脂性シートで構成されている。このシート体１１の各側端部１１ａ、１１ｂの一部又は全部は、例えば、糊付け、縫合、圧着等の手段で貼着されている。なお、このシート体１１の各側端部１１ａ、１１ｂは、互いに連続するものであればよく、事後的に貼着される場合に限定されるものではない。
【００１２】
また、この散髪用カバー１の上端には、散髪者の頭部を出すための上部開口１９が設けられている。この上部開口１９は、シート体１１のあえて各側端部１１ａ、１１ｂについて貼着を行い、上端についてあえて貼着を行わないことにより形成されるものである。そして、この上部開口１９を構成する２枚のシート体１１の各内面の一部には、例えばマジックテープ（登録商標）等を初めとした着脱部１２が設けられている。この着脱部１２は、互いに着脱自在に構成されている。
【００１３】
また、このシート体１１の下端は、外側に折り返された折り返し部１５が形成されている。この折り返し部１５は、単にシート体１１の下端を折り曲げただけで構成してもよいし、何らかの手段により常時折り曲げた状態を保持できるようにされていてもよい。また、この折り返し部１５を構成することにより、シート体１１の下端から外側において袋状部１６が形成されることになる。
【００１４】
特に、この散髪用カバー１において２枚のシート体を貼着する構成をとることにより、折り返し部１５を折り返す際に、この側端部１１ａ、１１ｂが折り目のように作用して常時折り曲げた状態を維持しやすくなる利点がある。このため、折り返し部１５を常時折り曲げた状態に維持するための特殊な構成が不要となり、極めて簡易な構成とすることができ、製造コストを低減させることができる。
【００１５】
図２は、実際に被散髪者にこの散髪用カバー１を被せた状態を示している。被散髪者は、この散髪用カバー１における上部開口１９から頭を出す。また、当該散髪用カバー１を被散髪者が被ったときに、着脱部１２が被散髪者の顔の前方に位置するように各形状が調整されているものとする。その結果、側端部１１ａ、１１ｂは、この被散髪者の前後に位置することになる。
【００１６】
また、実際に散髪を行う際には、図３に示すように、着脱部１２を互いに着け合わせる。その結果、上部開口１９の径を狭小化させることができ、散髪用カバー１内部に毛髪が入り、これらが衣服に付着するのを防止することが可能となる。また、この状態で散髪を行うことにより、刈られた毛髪２１は、折り返し部１５における袋状部１６へ落下することができる。その結果、その毛髪２１が床に散るのを防止することが可能となる。
【００１７】
このように、考案に係る散髪用カバー１によれば、きわめて簡易な構成で毛髪が被散髪者の衣服に付着するのを防止するとともに、その毛髪が床に散るのを防止することが可能となる。
【符号の説明】
【００１８】
１  散髪用カバー
１１  シート体
１２  着脱部
１５  折り返し部
１６  袋状部
１９  上部開口
【図１】
0003156550.tif 000003
【図２】
0003156550.tif 000004
【図３】
0003156550.tif 000005